(57)【特許請求の範囲】
【請求項１】
情報記録媒体の情報トラック間を高熱の光スポットで走査することにより前記情報トラックに沿って伸長したアニール処理領域を形成し、且つ前記情報トラック間に走査する光スポットの光強度を所定の情報に応じて変調し、前記伸長したアニール処理領域の幅を変化させることによって前記情報トラック間に所定の情報を記録することを特徴とする情報記録媒体のアニール方法。
【請求項２】
前記所定情報は、トラック番号、セクタ番号、または同期用クロックピットであることを特徴とする請求項１に記載の情報記録媒体のアニール方法。
【請求項３】
前記光スポットの光強度の変調によるアニールと、一定パワーによるアニールを情報トラック間ごとに交互に行うことを特徴とする請求項１に記載の情報記録媒体のアニール方法。
【請求項４】
光ヘッドから情報記録媒体の情報トラック上に光ビームを照射することによって情報を記録し、あるいは記録情報を再生する光学的情報記録再生装置において、前記光ヘッド内の光ビームを発する光源をアニール用の高熱の光スポットを発するように駆動する手段と、前記情報記録媒体の情報トラック間を前記アニール用の光スポットで走査することにより前記情報トラックに沿って伸張したアニール処理領域を形成すると共に、前記情報トラック間に走査する光スポットの光強度を所定の情報に応じて変調し、前記伸長したアニール処理領域の幅を変化させることによって前記情報トラック間に所定の情報を記録する手段とを備えたことを特徴とする光学的情報記録再生装置。
【請求項５】
前記所定情報は、トラック番号、セクタ番号、または同期用クロックピットであることを特徴とする請求項４に記載の光学的情報記録再生装置。
【請求項６】
前記記録手段は、前記光スポットの光強度の変調によるアニールと、一定パワーによるアニールを情報トラック間ごとに交互に行うことを特徴とする請求項４に記載の光学的情報記録再生装置。
【請求項７】
情報の記録または再生時に前記記録媒体からの反射光を検出する光センサの出力から前記情報トラック間に記録された所定情報を示す包絡線信号を検出し、検出された包絡線信号に基づいて前記所定情報を再生する手段を備えたことを特徴とする請求項４に記載の光学的情報記録再生装置。
【発明の詳細な説明】
【０００１】
【発明の属する技術分野】
本発明は、情報記録媒体をアニールする方法及びそれを用いた光学的情報記録再生装置に関するものである。
【０００２】
【従来の技術】
近年、光磁気ディスクを記録媒体として用いた光磁気情報記録再生装置は、可搬性があること、記憶容量が大きいこと、消去書き換えが可能なことなどより、大きな期待が寄せられている。図６は従来例の光磁気記録情報再生装置の光ヘッドを示す図である。図６において、３６は光源である半導体レーザであり、半導体レーザ３６から射出された発散光束はコリメータレンズ３７で平行化され、ビーム整形プリズム３８で断面円形状の平行光束に修正される。この場合、互いに直交している直線偏光成分をＰ偏光、Ｓ偏光し、この平行光束をＰ偏光の直線偏光（ここでは、紙面に平行方向の直線偏光とする）とする。このＰ偏光の光束は偏光ビームスプリッタ３９に入射し、偏光ビームスプリッタの特性としては、例えばＰ偏光の透過率は６０％、反射率は４０％、Ｓ偏光の透過率は０％、反射率は１００％である。偏光ビームスプリッタ３９を透過したＰ偏光の光束は、対物レンズ４０により集光され、光磁気ディスク４１の磁性層上に微小光スポットとして照射される。また、この光スポット照射部に磁気ヘッド４２からの外部磁界が印加され、磁性層上に磁区（マーク）が記録される。
【０００３】
光磁気ディスク４１からの反射光は、対物レンズ４０を介して偏光ビームスプリッタ３９に戻され、ここで反射光の一部が分離されて再生光学系へもたらされる。再生光学系では、分離光束を別に用意された偏光ビームスプリッタ４３で更に分離する。偏光ビームスプリッタ４３の特性としては、例えばＰ偏光の透過率は２０％、反射率は８０％、Ｓ偏光の透過率は０％、反射率は１００％である。偏光ビームスプリッタ４３で分離された一方の光束は、集光レンズ４９を介してハーフプリズム５０へ導かれ、ここで２つに分離されて一方が光検出器５１に、他方がナイフエッジ５２を介して光検出器５３に導かれる。そして、これらの制御光学系により光スポットのオートトラッキングやオートフォーカシングのためのエラー信号が生成される。
【０００４】
偏光ビームスプリッタ４３で分離された他方の光束は、光束の偏光方向を４５度回転させる１／２波長板４４、光束を集光する集光レンズ４５、偏光ビームスプリッタ４６、偏光ビームスプリッタ４６により分離された光束をそれぞれ検出する光検出器４７及び４８に導かれる。偏光ビームスプリッタ４６の特性としては、Ｐ偏光の透過率は１００％、反射率は０％、Ｓ偏光の透過率は０％、反射率は１００％である。光検出器４７と４８で検出された信号は、差動アンプ（不図示）で差動検出することにより再生信号が生成される。
【０００５】
ところで、光磁気媒体においては、周知のように垂直磁化の方向の違いにより情報を記録している。この磁化の方向の違いにより情報が記録された光磁気媒体に直線偏光を照射すると、その反射光の偏光方向は磁化の方向の違いにより右回りか左回りかに回転する。例えば、光磁気媒体に入射する直線偏光の偏光方向を図７に示すように座標軸Ｐ方向とし、下向き磁化に対する反射光は＋θｋ回転したＲ＋、上向き磁化に対する反射光は−θｋ回転したＲ−とする。そこで、図７に示すような方向に検光子を置くと、検光子を透過してくる光は、Ｒ＋に対してＡ、Ｒ−に対してＢとなり、これを光検出器で検出すると光強度の差として情報を得ることができる。図６の例では偏光ビームスプリッタ４６が検光子の役目をしていて、分離した一方の光束に対し、Ｐ軸から＋４５度、他方の光束に対し、Ｐ軸から−４５度の方向の検光子となる。つまり、光検出器４７と４８で得られる信号成分は逆相となるので、個々の信号を差動検出することで、ノイズが軽減された再生信号を得ることができる。
【０００６】
最近では、この光磁気媒体の記録密度を高める要求が高まっている。一般に、光磁気媒体等の光ディスクの記録密度は、再生光学系のレーザ波長及び対物レンズのＮＡ（開口数）に依存する。即ち、再生光学系のレーザ波長λと対物レンズのＮＡが決まると光スポットの径が決まるため、再生可能な磁区の大きさはλ／２ＮＡ程度が限界となってしまう。従って、従来の光ディスクでは高密度化を実現するために、再生光学系のレーザ波長を短くするか、あるいは対物レンズのＮＡを大きくする必要があった。しかしながら、レーザ波長や対物レンズのＮＡの改善にも限度があるため、記録媒体の構成や読み取り方法を工夫し、記録密度を改善する技術が開発されている。
【０００７】
例えば、本願出願人は、特開平６−２９０４９６号公報で複数の磁性層を積層してなる光磁気媒体上のトラックに対して光スポットで走査することにより、第１の磁性層に垂直磁化として記録されている磁区（マーク）を、交換結合力を調整するための第２の磁性層を挟んで配置された第３の磁性層に転写し、その第３の磁性層に転写した磁区の磁壁を移動させることにより、第１の磁性層に記録されている磁区よりも大きくしてから再生信号を得る磁壁移動再生方式を提案している。
【０００８】
図８〜図１０を用いてこの磁壁移動再生方式を説明する。図８は磁壁移動再生方法の原理を説明する図である。（ａ）は磁性層の構成を示す断面図、（ｂ）は光スポットが入射する側から見た平面図である。図中５４は光磁気媒体である光磁気ディスクであり、３層の磁性層からなっている。まず、５５は第１の磁性層であり、磁区として情報を記録する記録層である（以下、記録層とする）。５６は第２の磁性層で、第１の磁性層５５と第３の磁性層５７との間の交換結合力を調整するための調整層である（以下、調整層とする）。第３の磁性層５７は記録層５５に記録されている磁区を、調整層５６の働きと光スポットによる熱分布とを利用して転写し、更に転写した磁区の磁壁を移動させることにより、記録層５５に記録されている磁区の大きさよりも大きくする再生層である（以下、再生層とする）。５８は再生用光スポットを表わし、５９は光磁気ディスク５４上の再生すべき所望のトラックである。記録層５５と調整層５６と再生層５７の各層中の矢印は原子スピンの向きを表わし、スピンの向きが相互に逆向きの領域部には磁壁６０が形成されている。また、６１は再生層５７に転写された磁区の移動しようとしている磁壁を示している。
【０００９】
図８（ｃ）はこの光磁気ディスク５４に形成された温度分布を示すグラフである。磁壁移動再生は１つの光スポットを用いても、２つの光スポットを用いても原理的には可能であるが、ここでは説明の簡単のために、２つの光スポットを用いて再生を行う方法を説明する。図８には再生信号に寄与する光スポットのみを示してある。２つ目の光スポット（不図示）は（ｃ）の温度分布を形成するために照射される。今、位置Ｘｓでは光ディスク５４上の温度は調整層５６のキュリー温度近傍のＴｓになっているものとする。（ａ）の６２に示す斜線部はキュリー温度以上になっている部分を示している。
【００１０】
図８（ｄ）は（ｃ）に示す温度分布に対応する再生層５７の磁壁エネルギー密度σ１の分布を示すグラフである。このようにＸ方向に磁壁エネルギー密度σ１の勾配があると、位置Ｘに存在する各層の磁壁に対して図中に示す力Ｆ１が作用する。このＦ１は磁壁エネルギーの低い方に磁壁を移動させるように作用する。再生層５７は磁壁抗磁力が小さく磁壁移動度が大きいので、単独でこの力Ｆ１によって容易に磁壁が移動する。しかし、位置Ｘｓより手前（図では右側）の領域では、まだ光磁気ディスク５４の温度がＴｓより低く、磁壁抗磁力の大きな記録層５５との交換結合により、記録層５５中の磁壁の位置に対応した位置に再生層５７中の磁壁も固定されることになる。
【００１１】
ここでは、図８（ａ）に示すように磁壁６１が媒体の位置Ｘｓにあるとする。また、位置Ｘｓにおいて光磁気ディスク５４の温度は調整層５６のキュリー温度近傍のＴｓまで上昇し、再生層５７と記録層５５との間の交換結合が切断されるとする。この結果、再生層５７中の磁壁６１は矢印Ｂで示すようにより温度が高く磁壁エネルギー密度の小さな領域へと瞬間的に移動する。従って、再生用の光スポット５８が通過すると、スポット内の再生層５７の原子スピンは（ｂ）に示すように全て一方向に揃う。そして、媒体の移動に伴って磁壁６１（または６０等）が瞬間的に移動し、光スポット内の原子スピンの向きが反転し、全て一方向に揃う。光磁気ディスク５４からの反射光は図６従来の光ヘッドで検出し、同様の差動検出を行うことにより、再生信号が得られる。このような磁壁移動再生方式によれば、光スポットによって再生する信号は記録層５５に記録されている磁区の大きさによらず常に一定な振幅となり、光学的な回折限界に起因する波形干渉の問題から解放される。つまり、磁壁移動再生を用いれば、レーザ波長λと対物レンズのＮＡから決まる分解能限界のλ／２ＮＡ程度よりも小さな磁区の再生を行え、サブミクロンの線密度の再生が可能となる。
【００１２】
図９は２つの光スポットを用いる場合の光ヘッドの一例を示す図である。６３は記録再生用の半導体レーザで波長は例えば７８０ｎｍである。６４は加熱用の半導体レーザで波長は例えば１．３μｍである。両方とも記録媒体に対してＰ偏光で入射するように配置されている。半導体レーザ６３及び６４から発散されたレーザビームは不図示のビーム成形手段によりほぼ円形にした後、それぞれコリメータレンズ６５，６６により平行光束にされる。６７は７８０ｎｍの光を１００％透過し、１．３μｍの光を１００％反射するダイクロックミラーである。また、６８は偏光ビームスプリッタで、Ｐ偏光は７０〜８０％を透過し、それに対して垂直成分のＳ偏光はほぼ１００％反射するものである。
【００１３】
コリメータレンズ６５及び６６で変換された平行光束はダイクロックミラー６７、偏光ビームスプリッタ６８を経て対物レンズ６９に入射する。この際、７８０ｎｍの光束は対物レンズ６９の開口の大きさに対して大きくなるようにしてあり、１．３μｍの光束は対物レンズ６９の開口の大きさに対して小さくなるようにしてある。従って、同じ対物レンズ６９を用いても１．３μｍの光束に対してはレンズのＮＡが小さく作用し、記録媒体７０上での光スポットの大きさは７８０ｎｍのものに比べ大きくなる。記録媒体７０からの反射光は再び対物レンズ６９を経て平行光束になり、偏光ビームスプリッタ６８で反射され、光束７１として得られる。光束７１から不図示の光学系により波長分離等がなされた後、サーボエラー信号や情報再生信号が従来の方式と同様に得られる。
【００１４】
図１０は記録媒体上の記録再生用の光スポットと加熱用の光スポットの関係を示す図である。まず、図１０（ａ）において、７２は波長７８０ｎｍの記録再生用の光スポットで、７３は波長１．３μｍの加熱用の光スポットである。７４は７５のランドに記録された磁区の磁壁、７６はグルーブである。また、７７は加熱用光スポット７３により温度が上昇した領域を示している。このようにグルーブ７６の間のランド７５上において、記録再生用の光スポット７２と加熱用の光スポット７３とを結合させている。これにより、移動している記録媒体上に図１０（ｂ）に示すような温度勾配を形成する事ができる。温度勾配と記録再生用の光スポット７２との関係は図８で示したものと同じになり、これにより磁壁移動再生が行える。
【００１５】
一方、ＭＤ（ミニディスク）等では、トラックの幅をウォブリングさせ、そのウォブリングの変化にトラック番号等の情報を乗せている。これらのウォブリングの作成は、ディスク基板の原盤を作成する際にトラックを切る光スポットのパワーを変調する事によって行っている。
【００１６】
【発明が解決しようとする課題】
上述した磁壁移動再生方式の記録媒体では、再生層の磁壁の移動を可能にするために隣接するトラックの間の媒体の特徴、つまり磁性を遮断する必要がある。従来においては、一定パワーの高温の光スポットを照射することにより隣接するトラックの間をアニールすることで磁性を消失させ、隣接するトラックの間の媒体の特性の連続性を遮断している。一方、磁壁移動再生方式では、線密度がサブミクロンと高い。しかしながら、プリピットによるトラック番号等の情報を記録していたのでは、プリピットは光学系の限界の制限を受けるため、磁壁移動再生方式での線密度と比べると著しく低くなってしまい、記録容量を損なうという問題があった。
【００１７】
本発明は、上記従来の問題点に鑑み、記録容量を損なうことがなく、記録密度を大幅に高めることが可能な情報記録媒体のアニール方法及びそれを用いた光学的情報記録再生装置を提供することを目的とする。
【００１８】
【課題を解決するための手段】
本発明の目的は、情報記録媒体の情報トラック間を高熱の光スポットで走査することにより前記情報トラックに沿って伸長したアニール処理領域を形成し、且つ前記情報トラック間に走査する光スポットの光強度を所定の情報に応じて変調し、前記伸長したアニール処理領域の幅を変化させることによって前記情報トラック間に所定の情報を記録することを特徴とする情報記録媒体のアニール方法によって達成される。
【００１９】
また、本発明の目的は、光ヘッドから情報記録媒体の情報トラック上に光ビームを照射することによって情報を記録し、あるいは記録情報を再生する光学的情報記録再生装置において、前記光ヘッド内の光ビームを発する光源をアニール用の高熱の光スポットを発するように駆動する手段と、前記情報記録媒体の情報トラック間を前記アニール用の光スポットで走査することにより前記情報トラックに沿って伸張したアニール処理領域を形成すると共に、前記情報トラック間に走査する光スポットの光強度を所定の情報に応じて変調し、前記伸長したアニール処理領域の幅を変化させることによって前記情報トラック間に所定の情報を記録する手段とを備えたことを特徴とする光学的情報記録再生装置によって達成される。
【００２０】
【発明の実施の形態】
以下、本発明の実施の形態について図面を参照して詳細に説明する。図１は本発明の光学的情報記録再生装置の一実施形態の構成を示す図である。図１において、１は光学的情報記録再生装置、２は情報記録再生装置１全体の制御を行う制御回路である。制御回路２は外部のコンピュータ等の情報処理装置との情報の送受信を制御したり、光磁気ディスクに対する情報の記録や再生を制御したり、その他の稼働部の制御を行う。３は光磁気ディスク４を回転駆動するためのスピンドルモータであり、スピンドルモータコントローラ１０により制御される。光磁気ディスク４は不図示の機構により情報記録再生装置１に対して挿入または排出される。５は光磁気ディスク４に光学的に情報の記録再生を行う光ヘッド、６は光磁気ディスク４に対し光ヘッド５と反対側に位置し、情報の記録に際して磁界を印加する磁気ヘッドである。光ヘッド５としては図６の１ビームによる光ヘッドと同等なものを用いることができる。７は光ヘッド５の光スポットの位置と磁気ヘッド６の位置を制御する光ヘッド及び磁気ヘッド制御回路である。この制御回路７によりオートトラッキング制御、シーク動作の制御、オートフォーカシング制御を行う。８は情報を記録する際の情報記録回路、９は情報を再生する際の情報再生回路である。
【００２１】
また、光磁気ディスク４としては、図８等で示したものを用いている。即ち、少なくとも記録層（第１の磁性層）と調整層（第２の磁性層）と再生層（第３の磁性層）の３層の磁性層を含んでいる。その機能についても従来技術の説明と同様である。つまり、記録層は磁区として情報を記録し、調整層は記録層と再生層との間の交換結合力を調整し、再生層は記録層に記録されている磁区を調整層の働きと光スポットによる熱分布とを利用して転写し、更に転写した磁区の磁壁を移動させることにより、記録層に記録されている磁区の大きさよりも大きくするものである。
【００２２】
磁性層群の各層の具体的な材料としては、遷移金属と希土類金属の各１種類以上の組み合わせによる非晶質合金を用いることができる。例えば、遷移金属としては、主にＦｅ、Ｃｏ、Ｎｉ、希土類金属としては、主にＧｄ、Ｔｂ、Ｄｙ、Ｈｏ、Ｎｄ、Ｓｍがある。代表的な組み合わせとしてはＴｂＦｅＣｏ、ＧｄＴｂＦｅ、ＧｄＦｅＣｏ、ＧｄＴｂＦｅＣｏ、ＧｄＤｙＦｅＣｏ等がある。また、耐食性向上のためにＣｒ、Ｍｎ、Ｃｕ、Ｔｉ、Ａｌ、Ｓｉ、Ｐｔ、Ｉｎなどを少量添加してもよい。更に、これらの層構成にＡｌ、ＡｌＴａ、ＡｌＴｉ、ＡｌＣｒ、Ｃｕなどの金属層を付加し、熱的な特性を調整してもよい。
【００２３】
図２は光ヘッド５の構成と光磁気ディスク４の一部を拡大して示す図である。図２を参照して光磁気ディスク４の隣接するトラック間の媒体特性の連続性を遮断するためのアニール処理を施す方法について説明する。図２において、１２は光源としての半導体レーザ、１３は半導体レーザ１２から射出されたレーザー光を平行光に変換するコリメータレンズである。コリメータレンズ１３により変換された平行光は偏光ビームスプリッタ１４を経由して対物レンズ１５に入射し、対物レンズ１５によって光磁気ディスク４の磁性層上に光スポット１６が集光される。光磁気ディスク２１からの反射光は、再び対物レンズ１５を通って偏光ビームスプリッタ１４入射し、ビームスプリッタ１４で反射されて１７の光束となる。光束１７から不図示の光学系により、図６で説明したように光ヘッドのオートトラッキング用、オートフォーカシング用の制御信号の検出や、光磁気再生信号の検出を行う。
【００２４】
光磁気ディスク４はグルーブ記録の媒体とし、情報はグルーブ部に記録するものとする。２２ａ〜２２ｅはランド部、２３ａ〜２３ｄはグルーブ部を示している。光磁気ディスク４は矢印の方向に回転しているものとする。また、１８は半導体レーザ１２の駆動回路、１９は光ヘッドの制御回路、２０はディスク４からの反射光を検出する検出回路である。ここで、本実施形態ではこの光磁気ディスク４が初めて情報記録再生装置に挿入されると、再生層での磁壁の移動を可能にするために、隣接トラックの間、即ち、ランド部２２の磁性を消失させ、隣接トラック間で媒体特性の連続性を遮断している。これにより、グルーブ部に記録された磁区は横方向（トラックに平行方向）の磁壁を持たず、情報の意味を持つ磁壁（図８等で説明した磁壁）の移動が可能になる。
【００２５】
アニール処理を行う際、まず、光ヘッド５を光磁気ディスク４の最外周か、最内周に移動させる。次いで、光ヘッド５からディスク４に光スポットを照射し、その反射光からオートフォーカシング用制御信号を検出回路２０により検出し、不図示の機構によりフォーカシング制御を行う。次いで、オートトラッキング用制御信号を検出回路２０で検出し、この際、オートトラッキング用制御信号にオフセットを与え、アニールすべきランド部２２上を光スポット１６が走査するように制御する。光ヘッド５の光スポット１６の光強度はランド部の磁性を消失させるだけの高熱のパワーの強度とする。
【００２６】
例えば、図２のランド部２２ａ上をディスク４の一方の端から他方の端まで制御回路１９が半導体レーザ駆動回路１８を制御しながら連続的にアニール処理を行う。この場合、半導体レーザ駆動回路１８により半導体レーザ１２の駆動電流を変調し、光スポットの光強度を変調している。具体的には、ディスク４にプリピット信号として記録する情報、例えばトラック番号、セクタ番号、同期用クロックピットなどの情報に応じて光スポットの光強度を変調し、それらの情報をランド２２ａに記録している。図２のランド２２ａの斜線で示すアニール幅の変化はこの光スポットの変調によって記録された情報を示している。また、このときの情報は図２のランド部２２ａの左右のグルーブを１つのトラックとし、左右のトラックに対する情報を記録する。例えば、トラック番号を記録する場合、ランド部２２ａに左右のグルーブの１つのトラック番号を記録する。左右のグルーブのトラックの判別は後述するように再生時に行う。
【００２７】
ランド部２２ａのアニール処理を終了すると、次のランド部２２ｂのアニール処理を行う。この場合も、光スポット１６をディスク４のランド部２２ｂに走査し、ランド部２２ｂのアニール処理を行う。但し、この場合は、光スポットの変調は行わず、一定パワーの光スポット１６を走査し、図２に斜線で示すようにランド部２２ｂに一定パワーによるアニール処理を行う。次に、図２に示すように光スポット１６をランド部２２ｃに移動させてランド２２部ｃのアニール処理を行うが、この場合はランド部２２ａと同様に光スポット１６の強度をトラック番号などの情報に応じて変調し、ランド部２２ｃをアニールすると同時にトラック番号などの情報を記録する。また、次のランド２２ｄは一定のパワーでアニール処理を行い、その次のランド部２２ｅは光スポットを変調してアニール処理を行う。このようにランド部（トラック間）では変調パワーによるアニール処理と一定パワーによるアニール処理を交互に行う。
【００２８】
図４はその様子を示している。光磁気ディスク４は同様にグルーブ記録の媒体とし、２８はグルーブ部、その両側の２９，３０はランド部である。ランド部２９は細線、ランド部３０は太線で示しているが、これは例えば２９は一定パワーでアニール処理されたランド部、３０は変調パワーでアニール処理されたランド部を示している。
【００２９】
次に、このようにアニール処理を施した光磁気ディスク４に情報の記録または再生を行う場合は、オートトラッキング制御信号のオフセットを元に戻し、光スポット１６がグルーブ部上を走査するように制御する。また、光スポットの光強度は記録、再生に応じて適正な値に設定する。アニールされた領域は磁性が消失しているため、光磁気効果は生じず、光磁気再生信号には寄生しない。ここで、本実施形態では、記録または再生時において光スポットの媒体からの反射光を光ヘッド５内のセンサ（図示せず）によって検出し、検出回路２０でランド部にアニールと同時に記録されたトラック番号などの情報を再生する。この場合、光スポットの反射光から得られる信号は図２に示すような光スポットの変調による成分を含んでおり、アニール幅の変化に応じた光磁気信号の包絡線が得られる。従って、この包絡線信号に基づいて今走査しているトラック番号などの情報が得られる。但し、前述のようにランド部に左右のグルーブ部を示す１つのトラック番号（セクタ番号）を記録しているが、媒体からの反射光を２分割光検出器（図示せず）で検出し、その出力によって左右のどちらのグルーブ部が変調されているかがわかるので、２つのグルーブ部のうち現在走査しているグルーブ部を判別することができる。なお、ランド記録の媒体の場合は、グルーブ部ごとに変調によるアニールと一定パワーによるアニールを交互に行う。
【００３０】
図３はランド／グルーブ記録の媒体について示している。図２と同様にこの媒体が初めて情報記録再生装置に挿入されると、再生層での磁壁の移動を可能にするためにアニール処理を行う。アニール処理は、基本的に図２の場合と同じである。ディスク４の２５ａ〜２５ｄはランド部、２６ａ〜２６ｄはグルーブ部である。また、光ヘッド５及びその周辺は図２と同じである。アニール処理を行う場合、同様に光ヘッド５を光磁気ディスク４の最外周か、最内周に移動させる。次いで、ディスク４の反射光からオートフォーカシング用制御信号を検出回路２０により検出し、不図示の機構によりフォーカシング制御を行う。
【００３１】
また、オートトラッキング用制御信号を検出回路２０で検出し、この際、オートトラッキング用制御信号にオフセットを与え、この場合は、まず、ランド部とグルーブ部の一方の境界の中心に光スポット１６が来るように制御しながら走査し、光磁気ディスク４のトラックの一方の端から他方の端まで、制御回路１９で半導体レーザ駆動回路１８を制御しながら、連続的に一定のパワーでアニール処理を行う。次いで、トラックの他端に光ヘッド５を戻し、ランド部とグルーブ部の他の境界の中心に光スポット１６が来るように制御しながら走査し、光磁気ディスク４の一方の端から他方の端まで、制御回路１９で半導体レーザ駆動回路１８を制御しながら、図２と同様にパワーをトラック番号等の情報に従って変調してアニール処理を行う。
【００３２】
図５はその様子を示している。光磁気ディスク４はランド／グルーブ記録の媒体であり、３２はランド部、３３はグルーブ部である。例えば、初めに３４の細線上を一定パワーによって光磁気ディスクの端から他方の端までアニール処理を行った後、３５の太線上をパワーを変調して光磁気ディスクの端から他方の端までアニール処理を行う。
【００３３】
このようにアニール処理を施した光磁気ディスクに対し情報の記録、再生を行う際は、オートトラッキング制御信号のオフセットを元に戻し、光スポット１６はランド上またはグルーブ上を走査するように制御する。この媒体においてもアニール処理を施された領域（図中の斜線部）は磁性が消失しているため、光磁気効果は生じず、光磁気再生信号には寄与しない。情報の記録、再生時は、図２の説明と全く同様に検出回路２０によって光磁気再生信号の包絡線を得ることによって、アニール領域の変調された情報を検出でき、今走査しているトラックの番号等の情報を得る事ができる。また、例えばランド部２５ｂ，２６ｂで同じ包絡線を得るが、トラッキングの極性を検出することにより、今ランド部を走査しているのかグルーブ部を走査しているのかを判別することができ、２５ｂと２６ｂの違いを認識することができる。
【００３４】
なお、以上の実施形態では、光磁気ディスクのアニール処理を情報記録再生装置で行っているが、情報記録媒体の製造時に光スポットを照射する手段、光スポットの光強度を変調する手段などを用いて工場等において行ってもよい。
【００３５】
【発明の効果】
以上説明したように本発明によれば、隣接する情報トラックの間の媒体の特性の連続性を遮断するために高熱の光スポットを用いてアニールを行い、且つ光スポットのパワーを変調することによりアニールする幅を変化させてトラック間に所定情報を記録しているので、記録容量の損失を伴わずにトラック番号等の所定情報を記録でき、記録密度を大幅に高めることができる。特に、磁壁移動再生方式の場合、プリピットによる情報の記録に比べて大幅に記録密度を高めることができる。
【図面の簡単な説明】
【図１】本発明の光学的情報記録再生装置の一実施形態の構成を示す図である。
【図２】グルーブ記録媒体の場合のアニール方法を説明するための図である。
【図３】ランドグルーブ記録媒体の場合のアニール方法を説明するための図である。
【図４】グルーブ記録媒体のアニール処理を施した状態を示す図である。
【図５】ランドグルーブ記録媒体のアニール処理を施した状態を示す図である。
【図６】従来例の光磁気記録再生装置に用いられるヘッドを示す図である。
【図７】光磁気信号の再生原理を説明するための図である。
【図８】磁壁移動再生方式を説明するための図である。
【図９】２ビームによる磁壁移動再生に用いる光ヘッドの例を示す図である。
【図１０】図９の光ヘッドによる記録媒体上の２ビーム及び温度分布を示す図である。
【符号の説明】
１  光学的情報記録再生装置
２  制御回路
４  光磁気ディスク
５  光ヘッド
６  磁気ヘッド
７  光ヘッド及び磁気ヘッド制御回路
８  情報記録回路
９  情報再生回路
１２  半導体レーザ
１５  対物レンズ
１６  光スポット
１８  レーザ駆動回路
１９  光ヘッド制御回路
２０  検出回路
【図１】
0003703292.tif 000002
【図２】
0003703292.tif 000003
【図３】
0003703292.tif 000004
【図４】
0003703292.tif 000005
【図５】
0003703292.tif 000006
【図６】
0003703292.tif 000007
【図７】
0003703292.tif 000008
【図８】
0003703292.tif 000009
【図９】
0003703292.tif 000010
【図１０】
0003703292.tif 000011